(57)【要約】【課題】除湿素子の大型化やコストアップをすることなく、単一の除湿素子を用いてもカメラ筐体内の除湿性能の向上を実現できる。【解決手段】監視カメラ１１において、カメラ筐体２１と、カメラ筐体２１の鉛直方向に沿う側壁４７に形成され筐体内外を貫通する取付穴４１と、膜で構成されて取付穴４１を塞ぎ陰極端子５１と陽極端子５３とにより表裏に電源が供給される除湿素子４３と、筐体内部において除湿素子４３に近接して配置されるヒータ４５と、を設けた。【選択図】図５
2019083365.tif 000002
【特許請求の範囲】
【請求項１】
カメラ筐体と、
前記カメラ筐体の鉛直方向に沿う側壁に形成され、前記カメラ筐体の内外を貫通する取付穴と、
電解質膜と陰極端子と陽極端子とを有し、前記取付穴を塞ぐとともに、前記陰極端子及び前記陽極端子への電源の供給に基づいて、前記カメラ筐体内の水分を除湿する除湿素子と、
前記カメラ筐体内において前記除湿素子に近接して配置されるヒータと、を備える、
監視カメラ。
【請求項２】
前記ヒータは、前記除湿素子に沿う鉛直方向下側に配置される、
請求項１に記載の監視カメラ。
【請求項３】
前記ヒータより前記除湿素子に接近する側に、上側へ向かうに従って前記除湿素子に接近する方向に傾斜した気流ガイド板が設けられた、
請求項２に記載の監視カメラ。
【請求項４】
前記気流ガイド板が、前記ヒータの直上に配置される、
請求項３に記載の監視カメラ。
【請求項５】
前記除湿素子よりも前記カメラ筐体の外部の前記取付穴が、防水透湿膜で塞がれている、
請求項１〜４のうちいずれか一項に記載の監視カメラ。
【請求項６】
前記ヒータから発生する熱により生じた前記除湿素子に沿う上昇気流を生じさせる筐体内空気を封止する透明カバーが、前記カメラ筐体の撮像用開口部を覆って設けられる、
請求項２〜５のうちいずれか一項に記載の監視カメラ。
【請求項７】
前記ヒータは、そのヒータを挟んで前記除湿素子の反対側に、上側へ向かうに従って前記除湿素子に接近する方向に傾斜した基板に実装されるとともに、前記除湿素子に沿う鉛直方向下側に配置される、
請求項１に記載の監視カメラ。
【発明の詳細な説明】
【技術分野】
【０００１】
本開示は、除湿素子を搭載した監視カメラに関する。
【背景技術】
【０００２】
従来、監視カメラにおいては、カメラ筐体の内部に侵入した水分を電気分解の原理によって酸素分子及び水素分子の気体に分解し、カメラ筐体の外部に放出するための除湿素子を用い、カメラ筐体の内部の湿度を低減させる結露防止対策が採られていた（例えば、特許文献１参照）。
【先行技術文献】
【特許文献】
【０００３】
【特許文献１】特開平３−９５３２６号公報
【発明の概要】
【発明が解決しようとする課題】
【０００４】
近年の監視カメラにはカメラ筐体（言い換えると、監視カメラ内の内容積）が大きなものが登場している。ところが、特許文献１の構成では、監視カメラの内容積がある程度大きくなってくると、監視カメラに搭載される除湿素子における除湿能力の向上が必然的に要求されるようになり、大型の除湿素子や複数の除湿素子を搭載する必要がある。つまり、大型の除湿素子や複数の除湿素子を使用すれば、製品コストが増加するという課題があった。
【０００５】
本開示は、上述した従来の事情に鑑みて案出され、除湿素子の大型化やコストアップをすることなく、単一の除湿素子を用いてもカメラ筐体内の除湿性能の向上を実現できる監視カメラを提供することを目的とする。
【課題を解決するための手段】
【０００６】
本開示は、カメラ筐体と、前記カメラ筐体の鉛直方向に沿う側壁に形成され、前記カメラ筐体の内外を貫通する取付穴と、電解質膜と陰極端子と陽極端子とを有し、前記取付穴を塞ぐとともに、前記陰極端子及び前記陽極端子への電源の供給に基づいて、前記カメラ筐体内の水分を除湿する除湿素子と、前記カメラ筐体内において前記除湿素子に近接して配置されるヒータと、を備える、監視カメラを提供する。
【発明の効果】
【０００７】
本開示によれば、除湿素子の大型化やコストアップをすることなく、単一の除湿素子を用いてもカメラ筐体内の除湿性能の向上を実現できる。
【図面の簡単な説明】
【０００８】
【図１】実施の形態１に係る監視カメラの一例を示す側面図
【図２】図１に示した監視カメラの下面図
【図３】監視カメラの他の例を示す側面図
【図４】図３に示した監視カメラのベース部及びドームカバーが取り付けられた状態の側面図
【図５】図１〜図４に示した除湿装置の縦断面図
【図６】図５に示した除湿装置の横断面図
【図７】図５に示した基板と装置本体の分解斜視図
【図８】図５の除湿装置における陽極端子と陰極端子を表した縦断面図
【図９】図８に示した陰極端子の斜視図
【図１０】気流ガイド板の設けられた基板の斜視図
【図１１】変形例に係る基板の斜視図
【図１２】実施の形態２に係る除湿装置の縦断面図
【図１３】図１２に示した除湿装置の横断面図
【図１４】図１２の除湿装置における陽極端子と陰極端子を表した縦断面図
【発明を実施するための形態】
【０００９】
以下、適宜図面を参照しながら、本開示に係る監視カメラを具体的に開示した実施の形態（以下、本実施の形態という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。
【００１０】
［実施の形態１］
先ず、実施の形態１に係る監視カメラ１１を説明する。
【００１１】
図１は、実施の形態１に係る監視カメラ１１の一例を示す側面図である。以下の各実施の形態において、監視カメラ１１は、例えば屋外に設置されるものである。監視カメラ１１は、例えばボックス型監視カメラ１３である。ボックス型監視カメラ１３は、前面カバー１５（言い換えると、透明カバー１７）と、本体カバー１９（言い換えると、カメラ筐体２１）と、により内部のカメラ装置が覆われる。本体カバー１９は、上部がさらに天板２３によって覆われている。ボックス型監視カメラ１３は、本体カバー１９の後部に取付座２５が設けられる。
【００１２】
図２は、図１に示した監視カメラ１１の下面図である。本体カバー１９には、前面カバー１５の後方に、レンズカバー（図示略）、撮像ユニット（図示略）が順次後方に向かって並んで収容される。なお、ここで、「前」とは、被写体側（言い換えると、物体側）を言う。「後」とは、監視カメラ１１を挟んで被写体側と反対側をいう。
【００１３】
図３は、監視カメラ１１の他の例を示す側面図である。監視カメラ１１は、図１に示したボックス型監視カメラ１３に限定されず、図３に示すドーム型監視カメラ２７であってもよい。ドーム型監視カメラ２７は、ベース部２９（言い換えると、カメラ筐体２１）と、ドームカバー３１（言い換えると、透明カバー１７）と、により内部のカメラ装置が覆われる。
【００１４】
図４は、図３に示した監視カメラ１１のベース部２９及びドームカバー３１が取り付けられた状態の側面図である。ドーム型監視カメラ２７は、ベース部２９の被取付面が例えば天井に取り付けられる。この場合、ドーム型監視カメラ２７は、図４に示すように、下向きに設置されることになる。なお、ベース部２９の被取付面は天井に限定されず、例えば壁面でもよい。ベース部２９には、図３に示すカメラ３３を支持するパン機構３５及びチルト機構３７が設けられる。カメラ３３は、パン機構３５及びチルト機構３７によって、レンズがパン方向及びチルト方向に旋回可能となる。このため、ドームカバー３１は、球面の一部分で形成されている。
【００１５】
本明細書において、監視カメラ１１は、上記のボックス型監視カメラ１３及びドーム型監視カメラ２７の総称である。また同様に、透明カバー１７は、上記の前面カバー１５及びドームカバー３１の総称である。また同様に、カメラ筐体２１は、上記の本体カバー１９及びベース部２９の総称である。
【００１６】
監視カメラ１１は、カメラ筐体２１に、除湿装置３９が設けられる。監視カメラ１１は、ボックス型監視カメラ１３である場合、本体カバー１９内に除湿装置３９が設けられる。監視カメラ１１は、ドーム型監視カメラ２７である場合、ベース部２９内に除湿装置３９が設けられる。
【００１７】
図５は、図１〜図４に示した除湿装置３９の縦断面図である。監視カメラ１１は、カメラ筐体２１と、取付穴４１と、除湿素子４３と、ヒータ４５と、を主要な構成として有する。
【００１８】
取付穴４１は、監視カメラ１１がボックス型監視カメラ１３でもドーム型監視カメラ２７のいずれでも、カメラ筐体２１の鉛直方向に沿う側壁４７に形成される。この取付穴４１は、カメラ筐体２１の内外（以下、「筐体内外」とも称する）を貫通する。
【００１９】
除湿素子４３は、除湿装置３９の除湿調整体４９に設けられる。除湿素子４３は、電解質膜と陰極端子５１と陽極端子５３とを有して構成され、取付穴４１を塞ぐ。なお、除湿素子４３は、少なくとも電解質膜を有して構成されてもよく、この場合には、陰極端子５１と陽極端子５３とは除湿素子４３とは異なる構成としてもよい。除湿素子４３は、陰極端子５１と陽極端子５３とにより表裏に電源が供給される。つまり、除湿素子４３は、陰極端子５１と陽極端子５３への電源の供給に基づいて、カメラ筐体２１内の水分を除湿する機能を有する。
【００２０】
熱源としてのヒータ４５は、カメラ筐体２１の内部（カメラ筐体内）において、除湿素子４３に近接して配置される。本実施の形態において、ヒータ４５は、除湿素子４３に対面する基板５５に実装された抵抗によって構成される。このヒータ４５は、除湿素子４３に沿う鉛直方向下側に配置される。
【００２１】
除湿装置３９は、除湿調整体４９と、基板５５とを有する。除湿調整体４９は、監視カメラ１１の鉛直方向に沿う側壁４７の取付穴４１に取り付けられる。カメラ筐体２１の内部空間は、除湿調整体４９の取付部位から、透明カバー１７の内面まで続いている。従って、除湿調整体４９が機能することで、透明カバー１７の部分までの除湿が可能となる。
【００２２】
基板５５は、除湿素子４３に対面して除湿調整体４９に固定される。基板５５の除湿調整体４９への固定は、陰極端子５１と、陽極端子５３とによって行われる。基板５５には、除湿素子４３と反対側の面に、コネクタ５７が取り付けられる。コネクタ５７は、カメラ筐体２１に収容された装置基板（図示略）に接続される。基板５５には、監視カメラ１１の全体の電源装置から、コネクタ５７を介してヒータ４５、除湿調整体４９に電力が供給される。
【００２３】
図６は、図５に示した除湿装置３９の横断面図である。除湿調整体４９は、調整体本体５９と、除湿素子４３と、陽極端子５３と、陰極端子５１と、を備えている。除湿素子４３と、陽極端子５３と、陰極端子５１は、調整体本体５９に内蔵される。なお、上述したように、陽極端子５３と陰極端子５１とは除湿素子４３に含まれた構成としてもよい。
【００２４】
図７は、図５に示した基板５５と装置本体の分解斜視図である。調整体本体５９からは、陽極端子５３と、陰極端子５１の脚部６１が突出する。陽極端子５３、陰極端子５１は、脚部６１の先端の接続部６３が、基板５５の固定孔６５に挿入されるとともに、基板５５の回路パターンに半田付けにより固定される。
【００２５】
図８は、図５の除湿装置３９における陽極端子５３と陰極端子５１を表した縦断面図である。調整体本体５９は、例えば樹脂製であり、ねじ形状を有し、ねじ部６７とねじ頭部６９とにより構成される。ねじ部６７の外周には雄ねじ７１が設けられている。一方、カメラ筐体２１の取付穴４１の内周面には雌ねじ７３が設けられている。そして、ねじ部６７が取付穴４１に締め付けられている。除湿調整体４９は、ねじ部６７と、取付穴４１とによりカメラ筐体２１に着脱自在になっている。
【００２６】
ねじ頭部６９は、フランジ形状を有する。ねじ頭部６９と、カメラ筐体２１の間にはＯリング７５が挟まれており、Ｏリング７５により防水性が確保される。また、ねじ頭部６９には、４方向に放射状の工具溝７７が設けられている。工具溝７７には、除湿調整体４９をカメラ筐体２１に締め付ける工具が挿入される。
【００２７】
調整体本体５９の中央部には、筐体内外を結ぶように開口部７９が設けられている。除湿素子４３は、この開口部７９を塞ぐように設けられている。また、調整体本体５９の筐体内部側の端面には、鉛直方向の縦溝８１が形成されている。縦溝８１は、溝延在方向に直交する断面形状が湾曲面（図７参照）で形成される。縦溝８１は、後述する上昇気流８３の流れを整流し、上昇気流８３を生じやすくする。
【００２８】
除湿素子４３は、例えば円形の膜で構成され、調整体本体５９の中央に、ねじ方向に対して直角に配置される。除湿素子４３の直径は開口部７９より大きい。従って、除湿素子４３は、全周にわたり、縁部の一定幅の部分にて、開口部７９の周囲の部分に保持されており、これにより除湿素子４３が開口部７９を塞いでいる。そして、この配置により、除湿素子４３の一方の面が筐体外部を向き、他方の面が筐体内部を向いている。
【００２９】
具体的には、除湿素子４３は、両側を電極膜で挟まれた固体高分子電解質膜を備えた３層構造を有している。両側の電極膜に電圧を印加すると、陽極側の電極膜は、空中の水分子を電気分解して、酸素と水素を発生する。固体高分子電解質膜が水素イオン交換膜として機能し、陽極側の電極膜で発生した水素が、陰極側の電極膜に移動する。また、陽極側の電極膜から電源を介して陰極側の電極膜に電子が移動する。そして、陰極側の電極膜は、電気分解の逆の反応により、水素と酸素から水分子を生成する。このようにして、除湿素子４３は、陽極側の空間の水分を陰極側の空間に移動でき、除湿素子４３として機能できる。
【００３０】
除湿素子４３は、金属製で薄板状の陽極端子５３と陰極端子５１で挟まれている。陽極端子５３は、除湿素子４３に筐体内部側から接する。陰極端子５１は、除湿素子４３に筐体外部側から接する。
【００３１】
図９は、図８に示した陰極端子５１の斜視図である。陰極端子５１は、除湿素子４３の電極膜に接触する接触部８５と、接触部８５から延びる脚部６１とを有する。接触部８５は、例えば円形のリング状であり、接触部８５の外径は除湿素子４３の外径より少し小さく、また、接触部８５の内径は調整体本体５９の開口部７９の直径より少し大きい。したがって、接触部８５は、調整体本体５９の内方で、除湿素子４３の縁部に沿うように全周にわたって設けられており、そして全周で除湿素子４３の縁部に接触している。
【００３２】
陰極端子５１の脚部６１は帯状の形状を有しており、接触部８５の一箇所から突出している。そして、脚部６１は、半径方向に少し延び、直角に折れ曲がり、ねじ軸方向に延びる。脚部６１は、図８に示すように、ねじ部６７を貫通し、調整体本体５９の筐体内部側の端面から突き出している。
【００３３】
もう一方の陽極端子５３は、上記の陰極端子５１と同様の構造を有する。即ち、陽極端子５３も、リング状の接触部８５と帯状の脚部６１が連結された構成を有する。
【００３４】
ただし、陰極端子５１の接触部８５は、筐体外部側から除湿素子４３に接触している。従って、陰極端子５１の接触部８５は、除湿素子４３を挟んで陽極端子５３の接続部６３の反対に位置する。
【００３５】
上記の陰極端子５１、陽極端子５３はさらに両側から円環状の保持具８７で挟まれている。保持具８７は、樹脂製であり、除湿調整体４９の製造時に、陰極端子５１、陽極端子５３を金型内に保持する機能を持つ。
【００３６】
図１０は、気流ガイド板８９の設けられた基板５５の斜視図である。監視カメラ１１は、ヒータ４５を挟んで除湿素子４３の反対側に、上側へ向かうに従って除湿素子４３に接近する方向に傾斜した気流ガイド板８９が設けられている。本実施の形態において、気流ガイド板８９は、ヒータ４５の実装された基板５５のヒータ４５よりも上方に固定されている。即ち、気流ガイド板８９は、ヒータ４５の直上に配置されている。
【００３７】
また、調整体本体５９は、除湿素子４３よりも筐体外部の開口部７９が、防水透湿膜９１で塞がれている。防水透湿膜９１は、筐体内部から筐体外部へ湿り空気を透過させる。一方、防水透湿膜９１は、筐体外部から開口部７９への水の透過を阻止する。
【００３８】
監視カメラ１１は、上記の構成を備えることにより、ヒータ４５の熱により生じた除湿素子４３に沿う上昇気流８３を生じさせる筐体内空気を封止する透明カバー１７が、カメラ筐体２１の撮像用開口部を覆って設けられている。
【００３９】
図１１は、変形例に係る基板９３の斜視図である。なお、基板９３は、上記の半田付けによる固定構造に代えて、半田付けによらず調整体本体５９に取付可能とする構成を有してもよい。この場合、陽極端子５３及び陰極端子５１の脚部は、弾性係止脚９５により形成する。弾性係止脚９５は、弾性を有する導電性金属（例えば、リン青銅等）により先端が自由端となったＵ字形状に形成される。弾性係止脚９５は、突出先端が屈曲部９７となる。この屈曲部９７が、基板９３に形成された係止孔９９に挿入される。弾性係止脚９５は、係止孔９９を貫通した屈曲部９７が、係止凸部（図示略）等により基板９３の貫通側の面に係止する。また、弾性係止脚９５は、基板９３の挿入側の面では、接触部８５が基板９３の陽極用、陰極用のそれぞれの回路パターンに接続する。
【００４０】
この変形例に係る基板９３の取付構造によれば、基板９３をワンタッチで調整体本体５９に導通接続及び固定でき、基板９３の組付作業性を向上させることができる。
【００４１】
次に、上記した本実施の形態に係る監視カメラ１１の構成による作用及び効果を説明する。
【００４２】
本実施の形態に係る監視カメラ１１は、カメラ筐体２１と、カメラ筐体２１の鉛直方向に沿う側壁に形成され、カメラ筐体２１の内外を貫通する取付穴４１と、電解質膜と陰極端子５１と陽極端子５３とを有し、取付穴４１を塞ぐとともに、陰極端子５１及び陽極端子５３への電源の供給に基づいて、カメラ筐体２１内の水分を除湿する除湿素子４３と、カメラ筐体２１内において除湿素子４３に近接して配置されるヒータ４５と、を備える。
【００４３】
従って、本実施の形態に係る監視カメラ１１は、除湿素子４３の両側に電圧を印加すると、陽極側の空中の水分子を電気分解して、酸素と水素を発生する。陽極側で発生した水素は、陰極側に移動する。また、陽極側から陰極側に電子が移動する。陰極側では、電気分解の逆の反応により、水素と酸素から水分子を生成する。このようにして、陽極側の空間の水分が陰極側に移動される。カメラ筐体２１においては、筐体内空気に含まれる水分が、除湿素子４３により塞がれる取付穴４１の筐体外部へ移動される。
【００４４】
除湿素子４３は、筐体内部において、ヒータ４５が近接して配置される。ヒータ４５は、発熱により上昇気流８３を生じさせる。上昇気流８３となった筐体内空気は、除湿素子４３に沿って移動する。筐体内空気は、この上昇気流８３による対流により、ヒータ４５を設けない場合に比べ、単位時間当たりの接触量が増加する。その結果、電気分解する空気中の水分子の量を増やすことができる。
【００４５】
また、ヒータ４５に加熱された上昇気流８３は、ヒータ４５を設けない場合に比べ、絶対湿度の高い空気となる。そのため、除湿素子４３への水分子の搬送量が増加する。これによっても、電気分解する空気中の水分子の量を増やすことができる。
【００４６】
このように、監視カメラ１１では、単位時間当たりの水分子搬送量の増加と、搬送される空気の単位体積当たりの水分子量の増加との相乗効果により、除湿性能が高められる。従って、監視カメラ１１によれば、除湿素子の大型化やコストアップをすることなく、単一の除湿素子を用いても、カメラ筐体２１内の除湿性能の向上を実現できる。
【００４７】
また、監視カメラ１１では、ヒータ４５が、除湿素子４３に沿う鉛直方向下側に配置される。
【００４８】
このため、ヒータ４５により生じた上昇気流８３が除湿素子４３の下部から上部まで長い距離（長い時間）で除湿素子４３に接触する。これにより、ヒータ４５を除湿素子４３に沿う鉛直方向上側に配置する場合に比べ、電気分解する空気中の水分子の量を増やすことができる。
【００４９】
また、監視カメラ１１では、ヒータ４５より除湿素子４３に接近する側に、鉛直上側へ向かうに従って除湿素子４３に接近する方向に傾斜した気流ガイド板８９が設けられている。
【００５０】
このため、監視カメラ１１では、上昇気流８３が、気流ガイド板８９に当たることにより、除湿素子４３に接触する方向に向かって流れる。上昇気流８３のうち、除湿素子４３から離間しようとする流れを抑制し、除湿素子４３に触れる上昇気流８３の接触時間を長くすることができる。これにより、気流ガイド板８９を設置しない場合に比べ、電気分解する空気中の水分子の量を増やすことができる。
【００５１】
また、監視カメラ１１では、気流ガイド板８９が、ヒータ４５の直上に配置される。
【００５２】
このため、監視カメラ１１では、気流ガイド板８９が除湿素子４３に沿う鉛直方向下側に設けられたヒータ４５の直上に配置されることで、除湿素子４３の下部で上昇気流８３を除湿素子４３に沿わすことができる。これにより、上昇気流８３が除湿素子４３の上下に渡って長い距離（長い時間）で形成しやすくなる。
【００５３】
また、監視カメラ１１では、除湿素子４３よりもカメラ筐体２１の外部の取付穴４１が、防水透湿膜９１で塞がれている。
【００５４】
このため、監視カメラ１１では、筐体外部から雨水等が防水透湿膜９１によって遮られ、除湿素子４３に接触しなくなる。一方、除湿素子４３と防水透湿膜９１との間には、除湿素子４３による電気分解によって水素と酸素から水分子が生成される。この水分子（湿り空気）は、防水透湿膜９１を透過することにより筐体外部へ移動される。
【００５５】
また、監視カメラ１１では、ヒータ４５から発生する熱により生じた除湿素子４３に沿う上昇気流８３を生じさせる筐体内空気を封止する透明カバー１７が、カメラ筐体２１の撮像用開口部を覆って設けられる。
【００５６】
このため、監視カメラ１１では、除湿素子４３に沿う上昇気流８３が発生することにより、筐体内空気には、除湿素子４３を通過する流れと、新たに除湿素子４３に流入する流れとが形成される。即ち、筐体内空気に、サーキュレーションが形成される。このサーキュレーションの一部が撮像用開口部を覆う透明カバー１７の内面に接触しながら流れる。透明カバー１７に接するサーキュレーションの空気は、除湿素子４３により水分子が電気分解された後の低湿度の空気なので、結露した透明カバー１７のくもりが除去されやすくなる。その結果、透明カバー１７のくもりによる画質の劣化を抑制できる。
【００５７】
［実施の形態２］
次に、実施の形態２に係る監視カメラ１０１を説明する。
【００５８】
図１２は、実施の形態２に係る除湿装置１０３の縦断面図である。なお、実施の形態２においては実施の形態１に示した構成と同一の構成に同一の符号を付し重複する説明は省略する。
【００５９】
実施の形態２に係る監視カメラ１０１は、除湿装置１０３の基板１０５が、上記の監視カメラ１１における除湿装置３９の基板５５と異なる以外は、実施の形態１と同一の構成を有している。
【００６０】
監視カメラ１０１の除湿装置１０３は、ヒータ１０７を実装する基板１０５が、傾斜して取り付けられる。基板１０５は、ヒータ１０７を挟んで除湿素子４３の反対側に配置される。基板１０５は、上側へ向かうに従って除湿素子４３に接近する方向に傾斜して取り付けられる。ヒータ４５は、この傾斜した基板１０５に実装されて、除湿素子４３に沿う鉛直方向下側に配置さている。
【００６１】
図１３は、図１２に示した除湿装置３９の横断面図である。基板１０５は、上端の水平方向中央部に、凸部１０９が形成される。この凸部１０９は、調整体本体５９における開口部７９に先端が進入する。これにより、上昇気流８３を開口部７９のより奥側（除湿素子４３に接近する側）へ導入できるように構成されている。
【００６２】
図１４は、図１２の除湿装置３９における陽極端子５３と陰極端子５１を表した縦断面図である。また、ヒータ１０７は、基板１０５から浮上して支持される。例えば、ヒータ１０７に抵抗を用いた場合には、抵抗から導出される両側一対のリード１１１を用いて、ヒータ１０７を基板１０５から浮上させることができる。ヒータ１０７は、基板１０５より浮上して配置することにより、上昇気流８３の発生のために熱を効率よく作用させることができる。
【００６３】
このように、監視カメラ１０１では、ヒータ１０７は、そのヒータ１０７を挟んで除湿素子４３の反対側に、鉛直上側へ向かうに従って除湿素子４３に接近する方向に傾斜した基板５５に実装されるとともに、除湿素子４３に沿う鉛直方向下側に配置される。
【００６４】
このため、実施の形態２に係る監視カメラ１０１によれば、除湿素子４３に接近する方向に傾斜した基板１０５により、上昇気流８３が、除湿素子４３に接触する方向に向かって流れる。これにより、気流ガイド板８９を省略しても、気流ガイド板８９を設けた構成と同様に、除湿素子４３から離間しようとする流れを抑制し、除湿素子４３に触れる上昇気流８３の接触時間を長くすることができる。これにより、気流ガイド板８９を設置せずに、少ない部品点数で、電気分解する空気中の水分子の量を増やすことができる。
【００６５】
以上、図面を参照しながら本開示に係る実施の形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、発明の趣旨を逸脱しない範囲において、上述した実施の形態における各構成要素を任意に組み合わせてもよい。
【産業上の利用可能性】
【００６６】
本開示は、除湿素子の大型化やコストアップをすることなく、単一の除湿素子を用いてもカメラ筐体内の除湿性能の向上を実現できる監視カメラとして有用である。
【符号の説明】
【００６７】
１１  監視カメラ
１７  透明カバー
２１  カメラ筐体
４１  取付穴
４３  除湿素子
４５  ヒータ
４７  側壁
５１  陰極端子
５３  陽極端子
５５  基板
８３  上昇気流
８９  気流ガイド板
９１  防水透湿膜
【図１】
2019083365.tif 000003
【図２】
2019083365.tif 000004
【図３】
2019083365.tif 000005
【図４】
2019083365.tif 000006
【図５】
2019083365.tif 000007
【図６】
2019083365.tif 000008
【図７】
2019083365.tif 000009
【図８】
2019083365.tif 000010
【図９】
2019083365.tif 000011
【図１０】
2019083365.tif 000012
【図１１】
2019083365.tif 000013
【図１２】
2019083365.tif 000014
【図１３】
2019083365.tif 000015
【図１４】
2019083365.tif 000016